(57)【特許請求の範囲】
【請求項１】
クランク軸に固定される本体部と、
前記本体部に着脱可能に固定される分割部材と、を備えるはずみ車であって、
前記分割部材が前記本体部に固定された状態で、前記本体部の一面および前記分割部材の一面が舶用ディーゼル機関のエンジン本体と対向するエンジン本体側表面として形成され、
前記分割部材が前記本体部から取り外された状態で、前記分割部材が固定されていた部分が、作業員が作業する空間となるはずみ車。
【請求項２】
前記本体部は、前記エンジン本体と対向する面において、前記分割部材が取り付けられる分割部材取り付け面が形成され、
前記エンジン本体側表面は、前記分割部材取り付け面よりも前記エンジン本体の側に配置される請求項１に記載のはずみ車。
【請求項３】
請求項１または２に記載のはずみ車と、
前記本体部が設置されるクランク軸と、
前記エンジン本体と、
を備える舶用ディーゼル機関。
【発明の詳細な説明】
【技術分野】
【０００１】
本発明は、はずみ車および舶用ディーゼル機関に関する。
【背景技術】
【０００２】
エンジン（機関）のクランク軸は、主軸受を介してエンジン本体の台板によって支えられ、はずみ車（フライホイール）は、クランク軸の前端側又は後端側に取り付けられる。はずみ車は、燃焼行程における余分なエネルギーを吸収しつつ、他の行程で、はずみ車の回転慣性力のエネルギーを用いることで、クランク軸の回転を円滑にさせる。下記の特許文献１には、フライホイールに関する発明であって、フライホイールボディに脱着自在に取り付けられたウェイトセグメントを備え、慣性モーメントを自由に調整することが開示されている。
【先行技術文献】
【特許文献】
【０００３】
【特許文献１】実開昭６３−１１８４４２号公報
【発明の概要】
【発明が解決しようとする課題】
【０００４】
特許文献１のフライホイールボディは、フライホイールボディの外殻部の中にウェイトセグメントを積み重ねて設置することで、慣性力を変化させることができるように設計されている。このようなフライホイールボディを船舶に採用した場合、外殻部の中にウェイトセグメントを設置することとなるため、外殻部を大きく構成せざるをえない。このため、フライホイールボディの全長が大きくなり、結果としてエンジンが設置される機関室を大きくする必要が生じていた。
【０００５】
また、特許文献１は、フライホイールボディと機関本体との位置関係やウェイトセグメントを積み重ねる方向について一切考慮されていない。フライホイールボディと機関本体との間隔が大きい場合、または機関本体側とは反対方向にウェイトセグメントを積み重ねる場合は、機関本体に設けられるクランク軸のたわみ量が大きくなるため、クランク軸を支える主軸受に方当たりして損傷の原因となっていた。一方、フライホイールボディと機関本体との間隔が近い場合、または機関本体側にウェイトセグメントを積み重ねる場合は、機関本体とフライホイールボディとの間のメンテナンススペースが確保できなくなるため、メンテナンスのたびにフライホイール自体を外す等の作業が必要になっていた。さらに船舶等の大型機関用のフライホイールは重量も大きいため、フライホイールを外すための工事が必要となっていた。
【０００６】
本発明は、慣性モーメントを適切に変化できる一方、エンジンメンテナンスの簡易化が可能なはずみ車および舶用ディーゼル機関を提供することを目的とする。
【課題を解決するための手段】
【０００７】
本発明によるはずみ車は、クランク軸に固定される本体部と、前記本体部に着脱可能に固定される分割部材と、を備えるはずみ車であって、前記分割部材が前記本体部に固定された状態で、前記本体部の一面および前記分割部材の一面が舶用ディーゼル機関のエンジン本体と対向するエンジン本体側表面として形成され、前記分割部材が前記本体部から取り外された状態で、前記分割部材が固定されていた部分が、作業員が作業する空間となる。
この構成によれば、はずみ車の本体部から分割部材を取り外すことにより、分割部材が固定されていた部分に空間を形成することができ、その空間を作業スペースとして、はずみ車の周辺に配置された部品や、はずみ車とエンジン本体との間に配置された部品を容易に取り扱うことができる。
なお、前記分割部材は、前記回転軸に対して垂直方向に、前記本体部に着脱されてもよい。この構成によれば、分割部材の着脱の際、回転軸方向に分割部材を移動させなくてもよいため、分割部材の着脱のためにエンジンの軸方向の長さを増加させる必要がない。
【００１０】
本発明の参考例によるはずみ車は、エンジン本体と中間軸との間において、クランク軸に固定される本体部と、前記本体部に着脱可能に固定される分割部材と、を備えるはずみ車であって、前記分割部材が前記本体部から取り外された状態で、前記中間軸の端部が前記本体部の径方向外側へ移動可能に形成される。
この構成によれば、本体部から分割部材を取り外すことにより、クランク軸から中間軸を径方向外側へ脱着することができる。中間軸がクランク軸に着脱されるときに中間軸が通過する領域に分割部材を固定することで、分割部材分の重量をはずみ車に追加することができ、はずみ車の厚さや直径を増加させることなく、はずみ車の慣性モーメントを増加させることができる。
【００１１】
本発明による舶用ディーゼル機関は、前記はずみ車と、前記本体部が設置されるクランク軸と、前記エンジン本体と、を備える。
この構成によれば、本体部から分割部材を取り外すことにより、分割部材が固定されていた部分に空間を形成することができ、その空間を作業スペースとして、クランク軸の周辺に配置された部品を容易に取り扱うことができる。
【発明の効果】
【００１２】
本発明によれば、クランク軸のねじり振動を低減するために、大きな慣性力が必要な場合があり、慣性力を増加させる場合において、分割できない従来のはずみ車と異なり、はずみ車とエンジン本体間の部品の組立やメンテナンスのための作業スペースを確保することができ、かつ、はずみ車の重心位置と主軸受の距離を離す必要がないため、クランク軸のたわみ量を増加させない。
【図面の簡単な説明】
【００１３】
【図１】本発明の第１実施形態に係るエンジンを示す概略図である。
【図２】本発明の第１実施形態に係るはずみ車を示す斜視図である。
【図３】はずみ車の分割部材が取り外された状態を示す斜視図である。
【図４】本発明の第２実施形態に係るはずみ車を示す平面図である。
【図５】本発明の第３実施形態に係るはずみ車を示す平面図である。
【図６】本発明の第１参考例に係るエンジンを示す概略図である。
【図７】本発明の第１参考例に係るはずみ車を示す平面図である。
【図８】本発明の第１参考例に係るはずみ車を示す斜視図である。
【発明を実施するための形態】
【００１４】
＜第１実施形態＞
以下、図面を参照して、本発明の第１実施形態に係るエンジンを説明する。エンジン１は、例えば舶用ディーゼル機関であり、船舶の船体内部に配置され、図１に示されているように、クランク軸２とエンジン本体３とを備えている。クランク軸２は、連接棒の一端と接続されるピン部と、ピン部に支持され軸線１０上に配置されるジャーナル部、及び、ピン部及びジャーナル部を結ぶアーム部を備えている。
【００１５】
エンジン本体３は、台板６と主軸受７とを備えている。台板６は、船体に固定されており、内部に収納空間８を形成している。クランク軸２は、ピン部及びアーム部がエンジン本体３内部の収納空間８に収納され、かつ、両端が収納空間８の外部に配置されている。主軸受７は、それぞれ、収納空間８に配置され、軸線１０を中心にクランク軸２が回転することができる。
【００１６】
エンジン本体３は、さらに、ピン部に対応する連接棒（図示せず）とピストン（図示せず）とを備えている。ピストンは、それぞれ、直線運動可能に支持されている。連接棒は、小端部がクロスヘッドピンに結合され、大端部がクランク軸２のピン部に結合されている。エンジン本体３は、シリンダ（図示せず）内部で燃料を燃焼させることにより、ピストンをそれぞれ往復運動させる。連接棒は、ピストンの往復運動をクランク軸２のピン部に伝達することにより、クランク軸２を回転させる。
【００１７】
エンジン本体３は、さらに、スラスト軸受１１と、縦振動ダンパー１２と、後端側オイルシール１５とを備えている。スラスト軸受１１は、クランク軸２の後端側に配置され、クランク軸２が軸線方向に移動しないようにスラスト力を受けている。縦振動ダンパー１２は、クランク軸２の前端側に配置され、図１に示すように、クランク軸２との間に潤滑剤で満たされた油室１２ａ、１２ｂを形成し、クランク軸２における軸線方向の振動を減衰させる。
【００１８】
後端側オイルシール１５は、クランク軸２の後端側がエンジン本体３のケーシングを貫通する部分に配置され、収納空間８と接続する隙間を、収納空間８内の潤滑剤が外部に漏洩することを防ぐ。
【００１９】
エンジン１は、エンジン１の前端側に、はずみ車１６を備えている。はずみ車１６は、円板状に形成されている。はずみ車１６は、円形状の底面が軸線に対して垂直に配置され、かつ、重心が軸線上に配置される。はずみ車１６は、クランク軸２の前端側の端に固定されている。なお、はずみ車１６は円板状であればよく、必ずしも真円である必要はない。
【００２０】
ケーシング１８は、エンジン本体３の前端側に配置され、はずみ車１６が収納される空間を形成している。
【００２１】
エンジン１を備える船舶は、プロペラ軸２１とプロペラ２２と中間軸２３とを備えている。プロペラ軸２１は、棒状に形成され、一端が船体の外部に配置され、他端が船体の内部に配置され、回転可能に船体に支持されている。プロペラ２２は、翼形に形成され、プロペラ軸２１の船体の外部に配置されている端部に固定されている。プロペラ２２は、プロペラ軸２１とともに回転されることにより、船体を推進させる。中間軸２３は、棒状に形成されている。中間軸２３は、一端がクランク軸２の後端部に接合され、他端がプロペラ軸２１の船体の内部に配置されている端部に接合されている。
【００２２】
図２は、はずみ車１６を示している。はずみ車１６は、エンジン本体側表面２４と側面２５を有する。エンジン本体側表面２４は、はずみ車１６の２つの底面のうちの１つである。側面２５は、円板状を有するはずみ車１６の側面である。はずみ車１６は、円板の軸線２６が軸線１０に重なるように配置され、かつ、エンジン本体側表面２４がエンジン本体３に対向して配置されている。
【００２３】
はずみ車１６は、本体部２７と、第１分割部材２８と、第２分割部材２９とを備えている。また、本体部２７は、図３に示すように、締結部分３１が形成されている。本体部２７は、ボルトを用いて締結部分３１がクランク軸２の前端に固定されることにより、クランク軸２に固定される。
【００２４】
本体部２７は、エンジン本体側表面３２と、側面３３と、第１分割部材取り付け面３４と、第２分割部材取り付け面３５とが形成されている。第１分割部材取り付け面３４および第２分割部材取り付け面３５は、互いに隣接している。本体部２７は、さらに、第１分割部材取り付け面３４および第２分割部材取り付け面３５よりエンジン本体３の側に突出する凸部３０が形成されている。エンジン本体側表面３２は、第１分割部材取り付け面３４および第２分割部材取り付け面３５に平行になるように凸部３０に形成されている。すなわち、エンジン本体側表面３２は、第１分割部材取り付け面３４および第２分割部材取り付け面３５よりエンジン本体３の側に配置されている。第１分割部材取り付け面３４には、複数の第１ねじ穴３６が形成されている。第２分割部材取り付け面３５には、複数の第２ねじ穴３７が形成されている。なお、第１分割部材取り付け面３４および第２分割部材取り付け面３５は、必ずしもエンジン本体側表面３２に平行な面でなくてもよく、第１分割部材２８および第２分割部材２９が本体部２７に取り付け可能な面であればよい。
【００２５】
第１分割部材２８は、図３に示すように、扇形の板状に形成され、エンジン本体側表面４１と側面４２とが形成されている。第１分割部材２８は、複数の第１ねじ穴３６に対応する複数の第１貫通孔４３が形成されている。第１貫通孔４３は、第１分割部材取り付け面３４に第１分割部材２８が取り付けられたとき、第１ねじ穴３６の位置と一致し、第１貫通孔４３と第１ねじ穴３６の軸方向は、軸線２６に対して平行である。
【００２６】
第２分割部材２９は、図３に示すように、扇形の板状に形成され、エンジン本体側表面４４と側面４５とが形成されている。第２分割部材２９は、複数の第２ねじ穴３７に対応する複数の第２貫通孔４６が形成されている。第２貫通孔４６は、第２分割部材取り付け面３５に第２分割部材２９が取り付けられたとき、第２ねじ穴３７の位置と一致し、第２貫通孔４６と第２ねじ穴３７の軸方向は、軸線２６に対して平行である。
なお、本実施形態では、第１分割部材２８および第２分割部材２９の形状を扇形としたが、本体部２７、第１分割部材２８および第２分割部材２９のそれぞれの形状に合わせて形状を変形することができる。
【００２７】
はずみ車１６は、複数の第１ねじ穴３６それぞれに複数の第１ボルトが挿入され、複数の第２ねじ穴３７それぞれに複数の第２ボルトが挿入される。本体部２７の第１分割部材取り付け面３４に第１分割部材２８が取り付けられたとき、複数の第１ボルトは、軸線２６に対して平行に配置される。第１ボルトが第１貫通孔４３を貫通して複数の第１ねじ穴３６に締結されることにより、第１分割部材２８が本体部２７に固定される。本体部２７の第２分割部材取り付け面３５に第２分割部材２９が取り付けられたとき、複数の第２ボルトは、軸線２６に対して平行に配置される。第２ボルトが第２貫通孔４６を貫通して第２ねじ穴３７に締結されることにより、第２分割部材２９が本体部２７に固定される。
【００２８】
第１分割部材２８と第２分割部材２９が本体部２７に取り付けられたとき、本体部２７のエンジン本体側表面３２と、第１分割部材２８のエンジン本体側表面４１と、第２分割部材２９のエンジン本体側表面４４は、はずみ車１６のエンジン本体側表面２４を構成する。第１分割部材２８と第２分割部材２９が本体部２７に取り付けられたとき、本体部２７の側面３３と、第１分割部材２８の側面４２と、第２分割部材２９の側面４５は、はずみ車１６の側面２５を構成する。
【００２９】
なお、上述した説明では、エンジン１の前端側にはずみ車１６を備える場合について説明したが、本発明はこの例に限定されない。すなわち、エンジン１の後端側にはずみ車１６と同様の後端側はずみ車が設けられてもよい。なお、後端側はずみ車は円板状であればよく、必ずしも真円である必要はない。後端側はずみ車は、円形状の底面が軸線に対して垂直に配置され、かつ、重心が軸線上に配置される。後端側はずみ車は、クランク軸２の後端側の端に固定される。また、後端側はずみ車においても、はずみ車１６と同様に、分割部材がエンジン本体側に着脱可能に設けられる。
【００３０】
エンジン１は、燃料を燃焼させることにより回転動力を生成し、軸線周りにクランク軸２を回転させる。プロペラ軸２１は、中間軸２３を介してクランク軸２から伝達される回転動力を用いて、プロペラ２２を回転させることにより、船体を推進させる。このとき、クランク軸２は、エンジン本体３の複数のピストンが往復運動するタイミングがずれていたり、プロペラ２２に印加される抵抗が変動することにより、回転速度が変動し、ねじり振動が発生する。
【００３１】
はずみ車１６は、クランク軸２が回転することにより、クランク軸２とともに軸線１０周りに回転する。これにより、はずみ車１６は、はずみ車１６の慣性モーメントにより、クランク軸２の回転速度が変化したときに、クランク軸２の回転速度の変動が小さくなるようにクランク軸２にトルクを印加し、クランク軸２に発生するねじり振動を低減する。
なお、後端側はずみ車が設けられる場合、後端側はずみ車も、はずみ車１６と同様に、クランク軸２が回転する回転変動を低減し、クランク軸２に発生するねじり振動を低減する。
【００３２】
次に、本実施形態に係るエンジン１のエンジンメンテナンス方法について説明する。
エンジン１が停止して回転動力を生成していないとき、クランク軸２を所定の角度に固定し、はずみ車１６の第１分割部材２８と第２分割部材２９を所定の位置に配置する。クランク軸２が所定の角度に固定されているとき、第１分割部材２８と第２分割部材２９が本体部２７から取り外される。ここで、所定の角度とは、第１分割部材２８と第２分割部材２９を取り外したとき形成される空間が、作業員の作業しやすい空間となるような角度、または、第１分割部材２８と第２分割部材２９を取り外しやすい角度である。
【００３３】
第１分割部材２８と第２分割部材２９が本体部２７から取り外されることにより、本体部２７とエンジン１との間にスペースが形成される。これにより、分割できない従来のはずみ車が設置されている場合と異なり、作業者は形成されたスペースに体の一部を入れることができ、縦振動ダンパー１２を取り扱ったり、メンテナンスしたりすることができる。
【００３４】
その結果、作業スペースを設けるため、はずみ車１６の重心をエンジン本体３から離れるようにはずみ車１６を設置する必要がなく、エンジン１のサイズを増加させずに、メンテナンス性を向上させることができる。また、作業スペースを設けずに、エンジン本体３側にはずみ車１６の厚さを大きくすることができるため、エンジン１のサイズを増加させずに、クランク軸２のねじり振動を低減するための大きな慣性力を得ることができる。
【００３５】
また、従来のはずみ車と比較して、はずみ車１６をエンジン本体３に近づけることができ、はずみ車１６の重心とエンジン本体３の主軸受との距離を短くすることができる。その結果、クランク軸２に生じる撓みを低減することができ、クランク軸２が主軸受７に片当りすることを低減し、主軸受７の損傷を防止することができる。
【００３６】
なお、後端側はずみ車についても、はずみ車１６と同様の作用効果を奏する。
【００３７】
＜第２実施形態＞
次に、本発明の第２実施形態に係るはずみ車について説明する。
本実施形態に係るはずみ車５１は、例えば前端側に設けられるはずみ車に適用される。はずみ車５１は、図４に示されているように、円板状に形成され、本体部５２と、分割部材５３と、複数のボルト５４とを備えている。本体部５２は、クランク軸２に固定され、はずみ車５１が形成する円板の直径方向を含む取り付け面５２ａが形成されている。分割部材５３は、半円の板状に形成されている。分割部材５３が本体部５２の取り付け面５２ａに取り付けられることにより、はずみ車５１が形成される。本体部５２に取り付けられたとき、分割部材５３は、はずみ車５１の側面（円板の側面）の一部を形成し、かつ、はずみ車５１のエンジン本体３に対向するエンジン本体側表面（円板の底面）の一部を形成する。
【００３８】
複数のボルト５４は、それぞれ、本体部５２の取り付け面５２ａに対して垂直方向に配置される。ボルト５４は、分割部材５３を貫通し、本体部５２に締結されることにより、分割部材５３が本体部５２に固定され、両者が一体化する。
【００３９】
本実施形態に係るはずみ車５１を備えたエンジンも、第１実施形態におけるエンジン１と同様に、分割部材５３を取り外すことにより、縦振動ダンパー１２を容易にメンテナンスできる。はずみ車５１をエンジン本体３に近づけることで、クランク軸２の撓みを低減することができ、主軸受７の損傷を防止することができる。
はずみ車５１は、前端側に限られず、後端側に設けられるはずみ車にも適用できる。
【００４０】
＜第３実施形態＞
次に、本発明の第３実施形態に係るはずみ車について説明する。
本実施形態に係るはずみ車６１は、例えば前端側に設けられるはずみ車に適用される。はずみ車６１は、図５に示されているように、円板状に形成され、本体部６２と、分割部材６３と、複数のボルト６４とを備えている。なお、はずみ車６１は円板状であればよく、必ずしも真円である必要はない。本体部６２は、クランク軸２に固定され、はずみ車６１の１８０度より小さい中心角に対応する弦に取り付け面６２ａが形成されている。分割部材６３を正面視すると、１８０度より小さい中心角に対応する円弧とその中心角に対応する弦とに囲まれた形状を有する。分割部材６３が本体部６２の取り付け面６２ａに取り付けられることにより、はずみ車６１が形成される。本体部６２に取り付けられたとき、分割部材６３は、はずみ車６１の側面（円板の側面）の一部を形成し、かつ、はずみ車６１のエンジン本体３に対向するエンジン本体側表面（円板の底面）の一部を形成する。
【００４１】
複数のボルト６４は、それぞれ、本体部６２の取り付け面６２ａに対して垂直方向に配置される。ボルト６４は、分割部材６３を貫通し、本体部６２に締結されることにより、分割部材６３が本体部６２に固定され、両者が一体化する。
【００４２】
本実施形態に係るはずみ車６１を備えたエンジンも、第１実施形態におけるエンジン１と同様に、分割部材６３を取り外すことにより、縦振動ダンパー１２を容易にメンテナンスできる。はずみ車６１をエンジン本体３に近づけることで、クランク軸２の撓みを低減することができ、主軸受７の損傷を防止することができる。
はずみ車６１は、前端側に限られず、後端側に設けられるはずみ車にも適用できる。
【００４３】
＜第１参考例＞
次に、本発明の第１参考例に係るはずみ車について説明する。図６は、本発明の第１参考例に係るエンジン及びプロペラを示す概略図である。
本参考例では、中間軸２３とエンジン本体３の間に後端側はずみ車７１が設置される。後端側はずみ車７１は、図７に示されているように、円板状に形成され、本体部７２と、第１分割部材７３と、第２分割部材７４などを備えている。なお、後端側はずみ車７１は円板状であればよく、必ずしも真円である必要はない。本体部７２は、図８に示されているように、クランク軸２に固定され、切り欠き７５が形成されている。切り欠き７５は、後端側はずみ車７１が形成する円板の２つの底面のうちの中間軸２３（図６参照）に対向する中間軸側表面に形成される。切り欠き７５は、後端側はずみ車７１の１８０度より小さい中心角に対応する弦に形成されている。
【００４４】
第１分割部材７３は、図７に示されているように、切り欠き７５のうち、後端側はずみ車７１の軸に対して一方に取り付けられ、第２分割部材７４は、切り欠き７５のうち、後端側はずみ車７１の軸に対して他方に取り付けられる。第１分割部材７３と第２分割部材７４は、本体部７２の切り欠き７５に取り付けられたとき、後端側はずみ車７１の側面を形成し、かつ、後端側はずみ車７１の中間軸側表面を形成する。
【００４５】
次に、本参考例に係るエンジンのエンジンメンテナンス方法について説明する。
クランク軸２から中間軸２３を取り外すとき、まず、クランク軸２を所定の角度に固定し、後端側はずみ車７１の第１分割部材７３と第２分割部材７４を所定の位置に配置する。クランク軸２が所定の角度に固定されているときに、第１分割部材７３と第２分割部材７４のいずれか一方が本体部７２から上方へ取り外される。これにより、中間軸２３の端部が、切り欠き７５を通過することが可能となる。第１分割部材７３又は第２分割部材７４が本体部７２から取り外されているとき、作業者は、中間軸２３をクランク軸２から取り外し、中間軸２３の端部が本体部７２の切り欠き７５を通過するように、中間軸２３を本体部７２の径方向外側へ移動させる。これにより、中間軸２３をクランク軸２から取り出すことができる。
【００４６】
反対に、中間軸２３をクランク軸２に取り付ける場合、中間軸２３の端部が本体部７２の切り欠き７５を通過するように、中間軸２３を本体部７２の中心側へ移動させる。これにより、中間軸２３をクランク軸２に取り付け固定できる。その後、第１分割部材７３と第２分割部材７４が、本体部７２に取り付けられる。
後端側はずみ車７１を回転させ、第１分割部材７３と第２分割部材７４のいずれか一方を軸に対して上側に位置させることで、中間軸２３を本体部７２から取り出すことができる。すなわち、後端側はずみ車７１を最大でも９０°だけ回転することによって、中間軸２３を取り外し可能な位置に設定できる。
【００４７】
従来の後端側はずみ車では、中間軸を取り出すため、本体部に中間軸を通過させることが可能な切り欠きを設けているのみであった。そのため、慣性モーメントを増加させるためには、はずみ車の厚さを厚くするか直径を大きくする必要があった。一方、本参考例によれば、切り欠き７５に第１分割部材７３と第２分割部材７４が設置されることから、従来の後端側はずみ車に比較して、厚さや直径を増加させることなく、後端側はずみ車７１の慣性モーメントを増加させることができる。そして、大きな慣性力を得ることで、クランク軸２のねじり振動を低減することができる。
【００４８】
なお、上記参考例では、本体部７２に対して二つの分割部材、すなわち、第１分割部材７３及び第２分割部材７４を着脱可能にした例について説明したが、本発明はこの例に限定されない。例えば、切り欠き７５は、本体部において、後端側はずみ車７１の軸に対して径方向の一方にのみ形成され、本体部に第１分割部材７３のみが着脱されるようにしてもよい。すなわち、この変形例の本体部は、上記参考例の本体部７２と第２分割部材７４が一体化した形状を有する。本変形例では、第１分割部材７３が軸に対して上側に位置するように後端側はずみ車７１を回転させたときだけ、中間軸２３を本体部から上方へ取り出すことができる。
【符号の説明】
【００４９】
１  ：エンジン
２  ：クランク軸
３  ：エンジン本体
６  ：台板
７  ：主軸受
８  ：収納空間
１０：軸線
１１：スラスト軸受
１２：縦振動ダンパー
１５：後端側オイルシール
１６：はずみ車
１８：ケーシング
２１：プロペラ軸
２２：プロペラ
２３：中間軸
２４：エンジン本体側表面
２５：側面
２６：軸線
２７：本体部
２８：第１分割部材
２９：第２分割部材
３１：締結部分
３２：エンジン本体側表面
３３：側面
３４：第１分割部材取り付け面
３５：第２分割部材取り付け面
３６：第１ねじ穴
３７：第２ねじ穴
４１：エンジン本体側表面
４２：側面
４３：第１貫通孔
４４：エンジン本体側表面
４５：側面
４６：第２貫通孔
５１：はずみ車
５２：本体部
５３：分割部材
５４：ボルト
６１：はずみ車
６２：本体部
６３：分割部材
６４：ボルト
７１：後端側はずみ車
７２：本体部
７３：第１分割部材
７４：第２分割部材
７５：切り欠き
【図１】
0005931945.tif 000002
【図２】
0005931945.tif 000003
【図３】
0005931945.tif 000004
【図４】
0005931945.tif 000005
【図５】
0005931945.tif 000006
【図６】
0005931945.tif 000007
【図７】
0005931945.tif 000008
【図８】
0005931945.tif 000009